(57)【特許請求の範囲】
【請求項１】
回路遮断器の機構を収容したケースと、ケースを覆うカバーと、カバーの開口孔から突出し、回路遮断器の機構と連動して開口孔内で転動させることにより回路遮断器を開閉させるハンドル部から構成された回路遮断器の前記ハンドル部を開路位置もしくは閉路位置に固定するためのハンドル位置固定装置であって、
該ハンドル位置固定装置は、ハンドル被装枠部と該ハンドル被装枠部から延出する係止片からなり、
被装枠部はハンドル部の転動軌跡を含む面と平行な面のひとつが開口されるとともに前記ハンドル部に設けられた転動軌跡を含む面と直交する方向に形成された肉ぬすみ穴の深さに応じて長く設けられ、該肉ぬすみ穴に嵌合可能に突設された嵌り込み突部と、
前記ハンドル部の転動軌跡を含む面と直交する方向に抜けることを防止した開口側に設けられた係合突起からなる抜け止め手段とを有し、
前記係止片は先端が前記開口孔の端縁とハンドル部との間に嵌り込むよう折り曲げて形成されて、
前記嵌り込み突部と前記係止片が夫々前記肉ぬすみ穴と前記端縁に係止されることにより
前記ハンドル位置固定装置単体で該ハンドル位置固定装置のハンドル転動方向への動きを抑制し、
被着時は、ハンドル部の転動軌跡を含む面と直交する方向からハンドル部に被着して前記係止片と嵌り込み突部がカバーに対するハンドル部の位置を固定することを特徴とする回路遮断器のハンドル位置固定装置。
【発明の詳細な説明】
【０００１】
【発明の属する技術分野】
本発明は、回路遮断装器の操作用ハンドル部を開路位置もしくは閉路位置に固定するための装置である。
【０００２】
【従来の技術】
従来、回路遮断器にはハンドル部の操作禁止を表示する装置として図３に示すような装置があり、ハンドルキャップと呼ばれている。図３は、そのハンドルキャップの斜視図である。ハンドルキャップ１０は枠部１０２のハンドルの転動方向と直交する方向の内側両面に突起部１０３が突設され、また遮断器のカバーと当接する面には支え部１０４が設けられている。該ハンドルキャップ１０は枠部１０２をハンドルの延出方向からハンドル部に覆い被せるようにハンドル部を装着する。
【０００３】
突起部１０３はハンドル部の肉ぬすみ穴に嵌まり合い、ハンドルキャップがハンドルから抜け落ちることを防止する構造になっている。
【０００４】
【発明が解決しようとする課題】
しかしながら、上述した従来のハンドルキャップにおいては、操作禁止が表示されていても間違えてハンドル部に触れて操作方向に荷重が加えられた場合には、枠部１０２が撓むことにより、突起部１０３と、ハンドル部に設けられた肉ぬすみ穴との嵌合が外れやすく、支え部１０４が、カバーの表面に当接しながら、ハンドルキャップ１０がハンドル部に沿って競り上がり、ハンドルから脱落する、あるいは中途半端に外れた状態になってハンドルが確実に閉または開位置に固定できないという問題があった。
【０００５】
本発明は上記事情を考慮してなされたもので、ハンドルキャップのような簡単な構造でありながら間違えてハンドル部に荷重が加えられた場合においても、外れることなく回路遮断器のハンドルを開路位置もしくは閉路位置に確実に固定できるハンドル位置固定装置を提供することを目的としている。
【０００６】
【課題を解決するための手段】
本発明は、上記目的を達成するために，回路遮断器の機構を収容したケースと、ケースを覆うカバーと、カバーの開口孔から突出し、回路遮断器の機構と連動して開口孔内で転動させることにより回路遮断器を開閉させるハンドル部から構成された回路遮断器の前記ハンドル部を、開路位置もしくは閉路位置に固定するためのハンドル位置固定装置であって、該ハンドル位置固定装置は、ハンドル被装枠部と該ハンドル被装枠部から延出する係止片からなり、被装枠部はハンドル部の転動軌跡を含む面と平行な面のひとつが開口されるとともに前記ハンドル部に設けられた転動軌跡を含む面と直交する方向に形成された肉ぬすみ穴の深さに応じて長く設けられ、該肉ぬすみ穴に嵌合可能に突設された嵌まり込み突部と、前記ハンドル部の転動軌跡を含む面と直交する方向に抜けることを防止した開口側に設けられた係合突起からなる抜け止め手段とを有し、前記係止片は先端が前記開口孔の端縁とハンドル部との間に嵌り込むよう折り曲げて形成されて、前記嵌り込み突部と前記係止片が夫々前記肉ぬすみ穴と前記端縁に係止されることにより前記ハンドル位置固定装置単体で該ハンドル位置固定装置のハンドル転動方向への動きを抑制し、被着時は、ハンドル部の転動軌跡を含む面と直交する方向からハンドル部に被着して前記係止片と嵌り込み突部がカバーに対するハンドル部の位置を固定するようにしたものである。
【０００７】
【発明の実施の形態】
以下、本発明の実施の形態について図面を参照して詳細に説明する。
【０００８】
図１は、本発明の一実施例である回路遮断器のハンドル位置固定装置を示す図である。７はケースで回路遮断器の機構を収容しており、２のカバーはケース７に機構を覆うように嵌合固定して形成される。このカバー２には長方形状の開口孔３が設けられている。５はハンドル部で、カバー２の開口孔から突出し、回路遮断器の機構と連動して、開口孔に沿って転動させることにより回路遮断器接点を開閉駆動するものである。ハンドル部５には転動方向と直交する方向に両面から形成された肉ぬすみ穴６が設けてある。
【０００９】
ハンドル位置固定装置１はハンドル被装枠部１５と係止片１１から成る。係止片１１はカバー２の開口孔３の端縁４に当接しハンドル位置固定装置１のハンドル転動方向の動きを抑制する。
【００１０】
被装枠部１５はハンドル部５の表面を被装するが、ハンドルの開閉転動軌跡を含む面に平行なひとつの面１４を開口している。被装枠部１５には、嵌り込み突部１２と係合突起１３を有する。被装枠部１５は、前記開口面１４の方向からハンドル部５に装着する。
【００１１】
嵌まり込み突部１２は、ハンドル部５の転動軌跡を含む面と直角方向に形成された肉盗み穴６に該盗み方向から挿入可能であるように突出形成されたものである。従来の装置をハンドルに装着する方向とは異なり、ハンドル部５の転動方向と直交方向にハンドル位置固定装置１を装着させるために、この嵌まり込み突部１２の長さを肉盗み穴６の深さに応じて長く設けることができる。このため転動方向に過大な過重が加えられた場合においても、ハンドル部５とハンドル位置固定装置１の嵌合を保つことができる。
【００１２】
係合突起１３は、ハンドルの転動軌跡を含む面と直行する方向にハンドル位置固定装置が抜けることを防止するものであって、ハンドル部５と節度をもって弾性的に嵌まり合うように形成してあり、ハンドル位置固定装置１をハンドル部５に保持せしめる。
【００１３】
ハンドル部５に装着されたハンドル位置固定装置１は、係止片１１と嵌まり込み突部１２で、回路遮断器のハンドルをを開路位置もしくは閉路位置に固定する。
【００１４】
ハンドルの転動方向に荷重がかかった場合、係止片１１が開口孔３の端縁４に当接し、また、嵌まり込み突部１２がハンドルの肉ぬすみ穴６に深く係っているためにハンドル位置を開または閉のいずれかの位置に確実に固定することができる。また係合突起１３が、ハンドル位置固定装置１が転動軌跡を含む面と直交する方向へ抜けることを抑制する。
【００１５】
ハンドル位置固定装置１は、転動軌跡を含む面と直交する方向からハンドル部５に装着されるために、嵌まり込み突部１２の長さＬ１２を長く設けることができ、従来のハンドルキャップのように撓みで簡単に外れることがなく過大な荷重がかかっても嵌合は外れないようにハンドル位置固定装置１を装着させることが可能である。
【００１６】
なお、本発明は上記実施例に限定にされるものではなく、本発明の請求項の範囲を逸脱しない範囲で応用可能であり、これらを本発明の範囲から排除するものではない。
【００１７】
【発明の効果】
本発明のハンドル位置固定装置は、前記ハンドル部の転動軌跡を含む面と平行な面のひとつが開口され、カバーの開口孔の端縁に係止してハンドル位置固定装置の転動方向の動きを固定する係止片と、前記ハンドル部に設けられた転動方向と直交する方向に形成された肉ぬすみ穴と嵌合可能に突設された嵌まり込み突部と、前記ハンドル部が転動方向と直交する方向に抜けることを防止する抜け止め手段とを有し、ハンドル位置固定装置を転動方向と直行する方向からハンドル部に装着するように形成したために、回路遮断器のハンドルを開路位置もしくは閉路位置に確実に固定することができ、特に過大過重が印加された場合においても、ハンドル位置固定装置が撓むことにより嵌まり込み突部と肉盗み穴との嵌合が外れるということがないハンドル位置固定装置を提供することができる。
【図面の簡単な説明】
【図１】本発明の実施例を示す斜視図である。
【図２】本発明の実施例を遮断器に取付けた状態の図である。
【図３】従来例を示す斜視図である。
【図４】従来例を遮断器に取付けた状態の図である。
【符号の説明】
１  ハンドル位置固定装置
１１  係止片
１２  嵌り込み突部
１３  係合突起
１４  開口面
２  カバー
３  開口孔
４  端縁
５  ハンドル部
６  肉ぬすみ穴
７  ケース
１０  従来のハンドル位置固定装置
１０２  枠部
１０３  突起部
１０４  係止片
【図１】
0004564633.tif 000002
【図２】
0004564633.tif 000003
【図３】
0004564633.tif 000004
【図４】
0004564633.tif 000005